(57)【特許請求の範囲】
【請求項１】
中心孔(11a)を有するディスク基板(11)の前記中心孔(11a)周囲の表面に、前記中心孔(11a)の孔縁と所定の間隔をあけて情報をピットとして記憶する反射膜(12)が形成された光ディスク(10)において、
前記中心孔(11a)の孔縁と前記反射膜(12)の内縁との間の前記ディスク基板(11)の内部又は表面にアンテナ(16)から送信された特定周波数の電波に共振する共振回路部(14)が設けられ、かつ前記反射膜(12)を覆うように導電膜が形成された
ことを特徴とする盗難防止機能付光ディスク。
【請求項２】
共振回路部(14)が中心孔(11a)の周囲を１又は２回以上巻回して形成されたコイル(14a)と前記コイル(14a)の両端に接続されたコンデンサ(14b)とにより構成された請求項１記載の盗難防止機能付光ディスク。
【請求項３】
コイル(14a)の内縁と中心孔(11a)の孔縁との間隔(A)が０．１ｍｍ以上であって、前記コイル(14a)の外縁と反射膜(12)の内縁との間隔(B)が２．５ｍｍ以上である請求項２記載の盗難防止機能付光ディスク。
【請求項４】
導電膜の幅１ｃｍで長さ１ｃｍのときの電気抵抗値が０．２５Ω以下である請求項１記載の盗難防止機能付光ディスク。
【請求項５】
中心孔(21a)を有するディスク基板(21)の前記中心孔(21a)周囲の表面に、前記中心孔(21a)の孔縁と所定の間隔をあけて情報をピットとして記憶する反射膜(22)が形成された光ディスク(20)において、
前記中心孔(21a)の孔縁と前記反射膜(22)の内縁との間の前記ディスク基板(21)の内部又は表面にＲＦＩＤ(24)が設けられ、かつ前記反射膜(22)を覆うように導電膜(28)が形成された
ことを特徴とする電子記憶機能付光ディスク。
【請求項６】
ＲＦＩＤ(24)が中心孔(21a)の周囲を１又は２回以上巻回して形成されたコイル(26)と前記コイル(26)の両端に接続されたＩＣチップ(27)とにより構成され、前記ＩＣチップ(27)は光ディスク固有の情報が記憶されたメモリ(27f)を有する請求項６記載の電子記憶機能付光ディスク。
【請求項７】
コイル(26)の内縁と中心孔(21a)の孔縁との間隔(A)が０．１ｍｍ以上であって、前記コイル(26)の外縁と反射膜(22)の内縁との間隔(B)が２．５ｍｍ以上である請求項７記載の電子記憶機能付光ディスク。
【請求項８】
導電膜(28)の幅１ｃｍで長さ１ｃｍのときの電気抵抗値が０．２５Ω以下である請求項５記載の電子記憶機能付光ディスク。
【発明の詳細な説明】
【０００１】
【発明の属する技術分野】
本発明は、半導体レーザを用いた高密度情報記録媒体である光ディスクに関する。更に詳しくは電子記憶機能又は盗難防止機能が付された光ディスクに関するものである。
【０００２】
【従来の技術】
光ディスクは、予め記録された音声や映像を専ら再生させることを目的とする再生専用型光ディスク、及び企業の研究開発におけるデータやシステム開発におけるプログラムを記憶させる追記型光ディスク及び書換え可能型光ディスクに類別される。従来このような光ディスクの盗難を防止するものとして、盗難防止用タグが知られている（特開平８−１８５５８４）。このタグは共振回路部を有し、盗難を防止する光ディスクのケースにこのタグを貼付する一方で、その光ディスク、例えば音声や映像が記録された光ディスクであるいわゆるコンパクトディスクを販売又は貸出す店の出入り口には送信アンテナと受信アンテナとが互いに所定の間隔をあけて立設され、これらのアンテナは制御部に電気的に接続される。制御部は共振回路部で共振する周波数の電波を送信アンテナから送信させるとともに、受信アンテナからの受信信号の信号レベルを常にチェックするように構成される。更に制御部の制御出力には警報を発するスピーカが接続される。
【０００３】
このように構成された盗難防止用タグでは、そのコンパクトディスクがケースとともに未清算のまま送信アンテナ及び受信アンテナ間を通過しようとすると、送信アンテナから送信された電波がコンパクトディスクのケースに取付けられたタグの共振回路部で共振するため、受信アンテナには受信レベルの変調された受信信号が受信される。この結果、制御部はスピーカから警報を発し、未清算のコンパクトディスクの持ち出しを監視できるようになっている。
【０００４】
【発明が解決しようとする課題】
しかし、上記従来の盗難防止用タグでは、ケースにタグを貼付するため、ケースから出したコンパクトディスク自体を持出す場合には警報が発せられない不具合があった。この点を解消するためにコンパクトディスクをケースから取出せないように鍵をそのケースに設けることも考えられるが、ケース自体は比較的薄い樹脂製品であるため、その鍵の構造が比較的複雑になるとともに、広告宣伝用に既にケースから取出して陳列してあるコンパクトディスクの無断持出しを防止できず、またコンパクトディスク自体を別のケースに入れて持ち出す場合には無断持ち出しを防止できない問題点がある。
【０００５】
一方、企業において光ディスクに記録された研究開発におけるデータやプログラムはを貴重なものであるため、それが無断持出しされて複製されることの被害は甚大である。このため、そのようなデータ又はプログラムが記録された光ディスクの保管場所からの出し入れは厳重に管理されることが望まれ、比較的多くの光ディスクが同一の場所に保管されている場合には、個々の光ディスクに関する固有の情報をその光ディスクを再生装置に装着して回転させることなく迅速に得られれば便利である。
【０００６】
本発明の目的は、光ディスクにおける固有の情報を迅速に得ることのできる電子記憶機能付光ディスクを提供することにある。
本発明の別の目的は、無断持出しを有効に防止し得る盗難防止機能付光ディスクを提供することにある。
本発明の更に別の目的は、光ディスクのデータとＲＦＩＤのデータを用いた多様な潜在的用途を開発し得る電子記憶機能付光ディスクを提供することにある。
【０００７】
【課題を解決するための手段】
請求項１に係る発明は、図１に示すように、中心孔１１ａを有するディスク基板１１のその中心孔１１ａ周囲の表面に、中心孔１１ａの孔縁と所定の間隔をあけて情報をピットとして記憶する反射膜１２が形成された光ディスク１０の改良である。その特徴ある構成は、中心孔１１ａの孔縁と反射膜１２の内縁との間のディスク基板１１の内部又は表面にアンテナ１６から送信された特定周波数の電波に共振する共振回路部１４が設けられ、かつ反射膜１２を覆うように導電膜が形成されたところにある。
請求項５に係る発明は、図４に示すように、中心孔２１ａを有するディスク基板２１の中心孔２１ａ周囲の表面に、中心孔２１ａの孔縁と所定の間隔をあけて情報をピットとして記憶する反射膜２２が形成された光ディスク２０の改良である。その特徴ある構成は、中心孔２1aの孔縁と反射膜２２の内縁との間のディスク基板２１の内部又は表面にＲＦＩＤ２４が設けられ、かつ反射膜２２を覆うように導電膜２８が形成されたところにある。
【０００８】
請求項１に記載された盗難防止機能付光ディスク及び請求項５に記載された電子記憶機能付光ディスクでは、共振回路部１４の共振により又はＲＦＩＤ（Radio Frequency Identification）２４との情報交換により警報等を発する他の機器との関連においてその無断持出しを防止できる。また反射膜１２，２２は共振回路１４又はＲＦＩＤ２４に対して電気抵抗の小さい回路としての影響を及す。導電膜２８には相互誘導により電流が流れるが、高周波の場合には導電膜２８の抵抗が低くても導電膜２８の自己インダクタンスの影響で流れる電流は増加しないので、抵抗が低ければ損失は少なくＱ値は高くなる。このため、この請求項１に記載された盗難防止機能付光ディスク及び請求項５に記載された電子情報機能付光ディスクでは、導電膜２８を設けることによりそのＱ値を高くすることができる。
なお、ディスク基板１１，２１の表面に直接又は記録膜２０ａを介して反射膜１２，２２が形成された光ディスク１０，２０では、反射膜１２，２２の上に直接導電膜を形成しても良く、形成した導電膜２８の上に保護膜１３，２３を更に形成しても良い。また、反射膜１２，２２の上に保護膜１３，２３を介して導電膜２８を形成しても良い。
一方、図示しないが、２枚のディスク基板を積層して複数の反射膜を層状に形成する光ディスクでは、２枚のディスク基板のそれぞれの反射膜の上に保護膜をそれぞれ形成し、この保護膜を対向させて導電膜をこれらの保護膜で挟むように形成し、接着剤で２枚のディスク基板を積層することが好ましい。即ち、２枚のディスク基板１１，２１を積層した光ディスクの具体的な厚さ方向の配置は、基板・反射膜・保護膜・接着剤・導電膜・接着剤・保護膜・反射膜・基板からなるもの、又は、基板・半透明膜・樹脂膜・反射膜・保護膜・接着剤・導電膜・接着剤・保護膜・反射膜・樹脂膜・半透明膜・基板からなるものが好ましい。
なお、本発明の対象とする光ディスク１０，２０は、図１に示すようにディスク基板１１の表面に直接反射膜１２が形成されたもの、或いは図４に示すようにディスク基板２１表面に記録膜２０ａ及び反射膜２２が形成されたものの双方を含み、更に、このように反射膜１２又は記録膜２０ａ及び反射膜２２が形成された２枚のディスク基板１１，２１を接着剤を介して積層し、複数の反射膜を層状に形成した光ディスクをも含むものとする。ここで、２枚のディスク基板１１，２１を積層した光ディスクの厚さ方向の配置は、基板・反射膜・保護膜・接着剤・保護膜・反射膜・基板からなるものと、基板・半透明膜・樹脂膜・反射膜・保護膜・接着剤・保護膜・反射膜・樹脂膜・半透明膜・基板からなるものが挙げられる。
【０００９】
請求項２に係る発明は、請求項１に係る発明であって、共振回路部１４が中心孔１１ａの周囲を１又は２回以上巻回して形成されたコイル１４ａと、このコイル１４ａの両端に接続されたコンデンサ１４ｂとにより構成された盗難防止機能付光ディスクである。
請求項６に係る発明は、請求項５に係る発明であって、図６に示すように、ＲＦＩＤ２４が中心孔２１ａの周囲を１又は２回以上巻回して形成されたコイル２６とコイル２６の両端に接続されたＩＣチップ２７とにより構成され、ＩＣチップ２７は光ディスク固有の情報が記憶されたメモリ２７ｆを有する電子記憶機能付光ディスクである。
【００１０】
請求項２に記載された盗難防止機能付光ディスクでは、共振回路部１４を比較的容易にディスク基板１１に設けることができる。
請求項６に記載された電子記憶機能付光ディスクでは、その光ディスクに記録させたデータのタイトル、種別、内容、記憶時間、光記録開始の位置等をメモリ２７ｆに記憶させることができるため、このメモリ２７ｆの読みだし機器との関連において、無断持出しの事実の他に、その持出された光ディスクの情報をも管理することができる。
【００１１】
請求項３に係る発明は、請求項２に係る発明であって、コイル１４ａの内縁と中心孔１１ａの孔縁との間隔が０．１ｍｍ以上であって、コイル１４ａの外縁と反射膜１２の内縁との間隔が２．５ｍｍ以上である盗難防止機能付光ディスクである。
請求項７に係る発明は、請求項６に係る発明であって、コイル２６の内縁と中心孔２１ａの孔縁との間隔が０．１ｍｍ以上であって、コイル２６の外縁と反射膜２２の内縁との間隔が２．５ｍｍ以上である電子記憶機能付光ディスクである。
光ディスクの反射膜１２，２２は相応の抵抗を持つ導電性を有する。この反射膜１２，２２にはそれぞれのコイル１４ａ，２６に流れる電流による相互誘導により電圧が印加され電流が流れ、エネルギーの損失がある。このエネルギーの損失は共振回路１４又はＲＦＩＤ２４のＱ値の低下をもたらし、その共振の強さを弱める。この請求項３に記載された盗難防止機能付光ディスク及び請求項８に記載された電子情報機能付光ディスクでは、コイル１４ａ，２６の内縁と中心孔１１ａ，２１ａの孔縁との間隔を保つことにより、その中心孔の果す機能を確保するとともに、コイル１４ａ，２６の外縁とＱ値に影響を与える反射膜１２，２２の内縁との間隔を保ってそのＱ値が低下することを防止する。
【００１４】
請求項４に係る発明は、請求項１に係る発明であって、導電膜２８の幅１ｃｍで長さ１ｃｍのときの電気抵抗値が０．２５Ω以下である盗難防止機能付光ディスクである。
請求項８に係る発明は、請求項５に係る発明であって、導電膜２８の幅１ｃｍで長さ１ｃｍのときの電気抵抗値が０．２５Ω以下である電子記憶機能付光ディスクである。
この請求項４に記載された盗難防止機能付光ディスク及び請求項８に記載された電子情報機能付光ディスクでは、導電膜２８の電気抵抗値が０．２５Ω以下であるので、導電膜２８による損失によるＱ値の低下を少なくすることができる。なお、この導電膜２８に流れる電流の影響により自己インダクタンスは小さくなるが、導電膜２８の影響下で所定のインダクタンスになるようにコイルの巻数を増やすことにより、その自己インダクタンスを調整することができる。
【００１５】
【発明の実施の形態】
次に本発明の盗難防止機能付光ディスクを図面に基づいて詳しく説明する。
図１及び図２に示すように、光ディスク１０は、中心孔１１ａを有するディスク基板１１と、この中心孔１１ａの孔縁と所定の間隔をあけて中心孔１１ａ周囲のディスク基板１１表面に直接形成されたアルミニウム蒸着膜からなる反射膜１２と、この反射膜１２表面に形成された紫外線硬化樹脂からなる保護膜１３とを備える。この実施の形態におけるた光ディスク１０は予め記録された音声や映像を専ら再生させることを目的とするいわゆる専用型のコンパクトディスクであって、販売又は貸出す店に陳列されるものである。音声や映像の情報はディスク基板１１上に設けられた反射膜１２の凹凸からなる位相ピット１２ａに記録され、この情報はディスク基板１１の裏面側から照射されるレーザ光がピット１２ａのない部分では反射されて帰ってくるが、ピット１２ａのある部分では回析されて返ってこないことを利用して再生される。
【００１６】
この光ディスク１０には共振回路部１４が設けられる。共振回路部１４は、ディスク基板１１の中心孔１１ａの周囲を１又は２回以上巻回して形成されたコイル１４ａと、このコイル１４ａの両端に接続されたコンデンサ１４ｂとにより構成され、この共振回路部１４は後述する送信アンテナ１６から送信された特定周波数の電波に共振するように構成される。この実施形態におけるコイル１４ａとコンデンサ１４ｂはディスク基板１１の表面に設けられる。コイル１４ａは、ディスク基板１１の表面に銅やアルミニウム等の導電性材料により渦巻き状に形成され、コンデンサ１４ｂはチップ型のコンデンサであって、そのコイル１４ａと電気的に接続するようにディスク基板１１上に設けられる。このコンデンサ１４ｂは図示しないが、コイル１４ａを構成する銅やアルミニウム等の導電性材料で薄い樹脂シートを挟んだ構造のコンデンサであってもよい。コイル１４ａは、その内縁と中心孔１１ａの孔縁との間隔Ａが０．１ｍｍ以上であって、コイル１４ａの外縁と反射膜１２の内縁との間隔Ｂが２．５ｍｍ以上に形成される。
【００１７】
図３に示すように、上記光ディスク１０を販売する店の出入り口（図示せず）には上記送信アンテナ１６と受信アンテナ１７とが互いに所定の間隔をあけて立設される。受信アンテナ１７は制御部１８の制御入力に接続され、制御部１８の制御出力に送信アンテナ１６が接続される。また制御部１８の制御出力には警報を発するスピーカ１９が接続される。制御部１８は共振回路部１４で共振する周波数の電波を送信アンテナ１６から送信させるとともに、受信アンテナ１７からの受信信号の信号レベルを常にチェックするように構成される。即ち、送信アンテナ１６から送信された電波を直接受信アンテナ１７が受信した場合の信号レベルを基準値とし、送信アンテナ１６から送信された電波が光ディスク１０に設けられた共振回路部１４で共振して受信アンテナ１７が受信すると、この信号レベルは上記基準値より所定値だけ大きくなるが、このとき制御部１８はスピーカ１９を鳴動させるように構成される。
【００１８】
このように構成された盗難防止機能付光ディスクを店から無断で持出そうとして送信アンテナ１６及び受信アンテナ１７間を通過すると、送信アンテナ１６から送信された電波を光ディスク１０の共振回路部１４が受けて共振を起こす。この結果、コイル１４ａの自己インダクタンスとコンデンサ１４ｂの静電容量により予め定められた周波数の電波が共振回路部１４から再放射される。この再放射された電波を受信アンテナ１７が受信すると、この受信信号に基づいて制御部１８は料金を支払っていない光ディスク１０が無断で持出されることを検出するので、スピーカ１９を鳴動して警報を発する。
一方、正規に料金を支払った場合には、会計場所（図示せず）で光ディスク１０の共振回路部１４上に中心孔１１をふさがずに、コイル１４ａを覆うように粘着層付きのアルミニウム等の導電性シールを添付するか、或いは光ディスク１０に強い電波を放射して共振回路部１４のコンデンサ１４ｂを破壊する。この結果、送信アンテナ１６及び受信アンテナ１７間をその光ディスク１０が通過しても、共振回路部１４は共振しないので、制御部１８はスピーカ１９を鳴動させない。
【００１９】
図４〜図６は本発明の電子記憶機能付光ディスクを示す。図４〜図６において図１〜図３と同一符号は同一部品を示す。
図４及び図５に示すように、この光ディスク２０は企業の研究開発におけるデータやシステム開発におけるプログラムを記憶させる追記型及び書換え可能型光ディスク２０であって、企業の開発室に収納されるものである。この光ディスク２０はポリカーボネートからなるディスク基板２１上に記録膜２０ａが形成され、この記録膜２０ａを介してアルミニウム又は金が蒸着されて反射膜２２が形成される。この反射膜２２の表面には合成樹脂からなる保護膜２３が更に形成される。研究開発におけるデータやシステム開発におけるプログラムからなる情報は、ディスク基板２１の裏面側から照射されるレーザ光によりその記録膜２０ａにピットとして形成される。
【００２０】
ディスク基板２１の中心孔２１ａの孔縁と記録膜２０ａの内縁との間にはＲＦＩＤ２４が設けられる。このＲＦＩＤ２４は、ディスク基板２１の中心孔２１ａの周囲を１又は２回以上巻回して形成されたコイル２６と、このコイル２６の両端に接続されたＩＣチップ２７とにより構成される。この実施の形態におけるコイル２６とＩＣチップ２７はディスク基板２１の内部に設けられる。具体的には、コイル２６は細い、例えば直径が０．２ｍｍの銅線を渦巻き状に巻いていくことにより、又は絶縁性基材シート２４ａに積層したアルミニウム箔や銅箔等の導電性材料をエッチング法又は打抜き法等により不要部分を除去して渦巻き状に形成され、コイル２６の内縁と中心孔２１ａの孔縁との間隔Ａが０．１ｍｍ以上であって、コイル２６の外縁と反射膜２２の内縁との間隔Ｂが２．５ｍｍ以上に形成される。ＩＣチップ２７はコイル２６の両端に接続された状態で絶縁性基材シート２４ａに搭載され、コイル２６及びＩＣチップ２７を搭載した絶縁性基材シート２４ａを金型に装着した状態で成形することによりディスク基板２１は形成され、共振回路部２４はその中心孔２１ａの孔縁と反射膜２２の内縁との間のディスク基板２１の内部に設けられる。
【００２１】
図６に示すように、ＩＣチップ２７は電源回路２７ａと無線周波数（ＲＦ）回路２７ｂと変調回路２７ｃと復調回路２７ｄとＣＰＵ２７ｅとこれに接続された光ディスク２０固有の情報を記憶するメモリ２７ｆを有する。電源回路２７ａはコンデンサ（図示せず）を内蔵し、このコンデンサはコイル２６とともに共振回路を形成する。このコンデンサにはコイル２６が特定の共振周波数の電波を受信したときにその電磁誘導で生じる電力が充電される。電源回路２７ａはこの電力を整流し安定化してＣＰＵ２７ｅに供給し、ＩＣチップ２７を活性化する。メモリ２７ｆはＲＯＭ（read only memory）、ＲＡＭ（ramdom-access memory）及びＥＥＰＲＯＭ（electrically erasable pogramable read only memory）を含み、ＣＰＵ２７ｅの制御の下で後述する無断持出し監視装置３０，３１からの電波のデータ通信による読出しコマンドに応じて記憶されたデータの読出しを行うとともに、無断持出し監視装置３０，３１からの書込みコマンドに応じてデータの書込みが行われる。
【００２２】
図４及び図５に戻って、保護膜２３の表面には導電膜２８が形成される。この実施の形態における導電膜２８は図示しない接着剤層により保護膜２３に貼付けられるが、導電膜２８は図示しない接着剤層により保護膜又は反射膜に貼付けても良く、又は蒸着により付け、若しくは導電性のフレークを含む塗料を塗布しても良い。導電性のフレークを含む塗料を塗布する場合には保護膜に導電膜を兼ねさせることも可能になる。導電膜２８がアルミ箔、銅箔又は銀膜等により形成される場合には、その厚さは５μｍ〜３０μｍの範囲にあることが好ましく、蒸着膜の場合の好ましい厚さは０．０５μｍ〜０．５０μｍの範囲である。塗料の場合、その厚さは固有抵抗値により幅１ｃｍで長さ１ｃｍのときの電気抵抗値が０．２５Ω以下になるように選定される。
【００２３】
図６に示すように、ＩＣチップ２７からデータの読出しを行う無断持出し監視装置３０，３１は、送受信アンテナ３０と識別監視装置３１とを備える。この実施の形態における送受信アンテナ３０は、光ディスク２０が格納される企業の開発室の出入口付近に設けられかつ巻回された被覆電線である。この送受信アンテナ３０は、その出入口を通り抜ける光ディスク２０のコイル２６に電波を送信しかつそのコイル２６からの電波を受信可能に構成される。送受信アンテナ３０は識別監視装置３１に接続され、識別監視装置３１は、バッテリを内蔵する電源回路３２と無線周波数（ＲＦ）回路３３と変調回路３４と復調回路３５を備える。更に識別監視装置３１はＣＰＵ３６とこれに接続されたメモリ３７、ディスプレイ３８、入力装置３９及びタイマ４０を有する。
【００２４】
この識別監視装置３１は、送受信アンテナ３０を介して光ディスク２０のコイル２６に特定周波数の電波を送信してＩＣチップ２７を活性化し、かつそのチップ２７のメモリ２７ｆに対してデータの読出し・書込みを行い送受信アンテナ３０を介して受信するコイル２６からの応答信号により光ディスク２０を識別してその光ディスク２０の持出し又は入庫の日時をメモリ３７に記録するとともに、開発室の出入り口近傍に配設されその出入り口を通過する人間を撮影可能に構成されたビデオカメラ４１と、警報手段であるブザー４２を所定時間駆動及び鼓動させるように構成される。
【００２５】
このように構成された電子記憶機能付光ディスクでは、ＩＣチップ２７のメモリ２７ｆにその光ディスク２０固有の情報、例えば光ディスクに記録させたデータのタイトル、種別、内容、記憶時間、光記録開始の位置等を入力する。この場合、書き換え可能な光ディスクでは電子記憶装置のタイトル等も入力することができる。このように情報が入力された光ディスク２０は、この状態で開発室に格納される。通常の開発業務における光ディスク２０の識別は、識別監視装置３１により行われ、個々の光ディスク２０を再生装置に実際に装着して回転させることなく、迅速にその光ディスクにおける固有の情報を得て所望の光ディスク２０を特定する。
【００２６】
一方、光ディスク２０を無断で持出そうとする者が、その光ディスク２０を持った状態で出入口を通過すると、その光ディスク２０は送受信アンテナ３０の交信範囲を通過する。光ディスク２０が送受信アンテナ３０の交信範囲を通過する際に、識別監視装置３１はその送受信アンテナ２１を介して光ディスク２０のコイル２６に向けてその識別コード質問信号を特定周波数の電波により送信する。この実施の形態における質問信号は２値化されたデジタル信号である。識別監視装置３１から発せられるデジタル信号は、図示しない信号発生器から発せられ変調回路３４で変調を受ける。ＲＦ回路３３ではこの変調した信号を増幅して送受信アンテナ３０から送信する。この変調には例えばＡＳＫ（振幅変調）、ＦＳＫ（周波数変調）又はＰＳＫ（位相変調）が挙げられる。
【００２７】
送信された質問信号の電波は光ディスク２０のコイル２６に受信され、この受信により、電源回路２７ａのコンデンサにはその電磁誘導で生じる電力が充電される。このとき保護膜２３の表面に形成された導電膜２８は、反射膜２２とともに共振回路２４に対して電気抵抗の小さい回路としての影響を及す。導電膜２８には相互誘導により電流が流れるが、高周波の場合には導電膜２８の抵抗が低くても導電膜２８の自己インダクタンスの影響で流れる電流は増加しないので、抵抗が低ければ損失は少なくＱ値は高くなる。このため、共振回路部２４は導電膜２８によりそのＱ値が高められ、電源回路２７ａは電力を整流し安定化して、ＣＰＵ２７ｅに供給し、ＩＣチップ２７を活性化する。次いでＩＣチップ２７のＲＦ回路２７ｂでは復調に必要な信号のみを取込み、復調回路２７ｄで元のデジタル信号の質問信号を再現させてメモリ２７ｆから光ディスク２０に関するデータを送信する。このデータの送信は２値化された識別コードをＩＣチップ２７の変調回路２７ｃで変調し、ＲＦ回路２７ｂで増幅してコイル２６から送出することにより行われる。
【００２８】
送信されたデータは送受信アンテナ３０を介して識別監視装置３１が受信し、識別監視装置３１は光ディスク２０からのそのデータにより光ディスク２０を識別してタイマ４０からの時刻に関するデータとともにその光ディスク２０が持出された事実をメモリ３７に記憶する。これとともに、識別監視装置３１はビデオカメラ４１を駆動させてその持出した人物を撮影し、ブザー４２を鼓動させてその事実を報知する。ブザー４２の鼓動により駆けつけた警備員により、出入り口を通過した人間からその光ディスクを回収することができ、光ディスク２０の無断持出しを防止することができる。
【００２９】
また、この実施の形態ではその光ディスク２０に関する情報とその持出された時間をディスプレイ３８でに表示するするとともに、この持出しの事実を識別監視装置３１から送受信アンテナ３０を介して光ディスク２０に送信され、ＩＣチップ２７のメモリ２７ｆに書込むようになっている。従って、警備員が駆けつけたときに既に人間が出入り口から離れている場合には、その警備員はビデオカメラに撮影された人物により無断に持出した人物を特定し、光ディスク２０を無事に回収できる。この際無断に持出されたものであるかの判断は、光ディスク２０のメモリ２７ｆに書込まれた事実を読出すことにより行うことができる。
なお、上述した実施の形態では合成樹脂からなる保護膜２３の表面に導電膜２８を形成したが、導電膜は反射膜と保護膜の間に形成しても良く、保護膜自体を導電膜で構成しても良い。
【００３０】
【実施例】
次に本発明の実施例を比較例とともに詳しく説明する。
＜実施例１〜３＞
図１に示すコイルとコンデンサからなる３種類の共振回路部を形成した。即ち、直径０．５ｍｍの被覆導線を一平面上で渦巻き状に６回巻いて３種類のコイル１４を作製した。これらのコイル１４の内径はそれぞれ２９．５ｍｍであり、外径を４０ｍｍ，３６．５ｍｍ及び３３ｍｍとする３種類とした。これらのコイルの両端にチップ型のコンデンサをそれぞれ接続して共振周波数が８ＭＨｚとなる３種類の共振回路を得た。
一方、直径が１５ｍｍの中心孔１１ａを有するポリカーボネートからなる外径が１２０ｍｍのディスク基板１１と、この中心孔１１ａ周囲のディスク基板１１表面に形成された内径が４６ｍｍであって外径が１１６ｍｍのアルミニウムからなる反射膜１２と、この反射膜１２表面に形成された樹脂からなる保護膜１３とを備えるいわゆる専用型のコンパクトディスクを３枚用意した。これらのコンパクトディスクに上記３種類の共振回路部を中心孔の孔縁と反射膜の内縁との間のディスク基板の表面にそれぞれ設けた。これら３種類の光ディスクを実施例１，実施例２及び実施例３とした。
【００３１】
＜実施例４〜６＞
実施例１〜３と同一の３種類の共振回路を、実施例１〜３と同一のコンパクトディスクの中心孔の孔縁と反射膜の内縁との間のディスク基板の表面にそれぞれ設けた。
一方、内径が４５ｍｍであって、外径が１２０ｍｍの厚さ１０μｍの円盤状のアルミニウム箔を３枚用意した。これらのアルミニウム箔を導電膜として上述した３種類のコンパクトディスクの保護膜の表面にそれぞれ接着した。このアルミニウム箔からなる導電膜を有する３種類の光ディスクを実施例４，実施例５及び実施例６とした。
【００３２】
＜実施例７〜９＞
実施例１〜３と同一の３種類の共振回路を用意した。
一方、直径が１５ｍｍに中心孔２１ａを有するポリカーボネートからなる外径が１２０ｍｍの図４に示すディスク基板２１と、この中心孔２１ａ周囲のディスク基板１２表面に形成された内径が４６ｍｍであって外径が１１６ｍｍの記録膜２０ａと金からなる反射膜２２と、この反射膜２２表面に形成された樹脂からなる保護膜２３とを備えるいわゆる追記型光ディスクを３枚用意した。これらの光ディスクに上記３種類の共振回路部を中心孔の孔縁と反射膜の内縁との間のディスク基板の表面にそれぞれ設けた。
また、内径が４５ｍｍであって、外径が１２０ｍｍの厚さ１０μｍの円盤状のアルミニウム箔を３枚用意した。これらのアルミニウム箔を導電膜として上述した３種類の追記型光ディスクの保護膜の表面にそれぞれ接着した。このアルミニウム箔からなる導電膜を有する３種類の光ディスクを実施例７，実施例８及び実施例９とした。
【００３３】
＜実施例１０及び１１＞
直径０．５ｍｍの被覆導線を一平面上で渦巻き状に６回巻いて、内径が２９．５ｍｍであり、外径が３６．５ｍｍのコイルを２個作り、それらのコイルの両端にチップ型のコンデンサをそれぞれ接続して共振周波数が８ＭＨｚとなる２個の共振回路を用意した。
一方、実施例７〜９と同一の追記型光ディスクを２枚用意し、これらの光ディスクに上記の共振回路部を中心孔の孔縁と反射膜の内縁との間のディスク基板の表面にそれぞれ設けた。
また、内径が４５ｍｍ、外径が１２０ｍｍであって、厚さが３００μｍ及び７μｍである２種類の円盤状のアルミニウム箔を用意した。これらのアルミニウム箔を導電膜として上述した光ディスクの保護膜の表面にそれぞれ接着した。この厚さが異なる導電膜を有する２種類の光ディスクを実施例１０及び実施例１１とした。
【００３４】
＜比較例１＞
コイルの外径が４２ｍｍであることを除いて実施例１と同一の光ディスクを比較例１とした。
＜比較例２＞
コイルの外径が４２ｍｍであることを除いて実施例４と同一の光ディスクを比較例２とした。
＜比較例３＞
コイルの外径が４２ｍｍでありかつ導電膜としてのアルミニウム泊を接着しない点を除いて実施例７と同一の光ディスクを比較例３とした。
＜比較例４＞
コイルの外径が４２ｍｍである点を除いて実施例７と同一の光ディスクを比較例４とした。
【００３５】
＜比較例５＞
導電膜としてのアルミニウム泊を接着しない点を除いて実施例９と同一の光ディスクを比較例５とした。
＜比較例６＞
導電膜としてのアルミニウム箔の厚さが０．１μｍであることを除いて実施例１１と同一の光ディスクを比較例６とした。
なお、実施例１〜１１及び比較例１〜６のコイルの外径、そのコイルの外縁と反射膜の内縁との距離、反射膜の種類及び導電膜の有無、並びに導電膜を有する場合のその厚さと幅１ｃｍで長さ１ｃｍのときの電気抵抗値の関係を表１に示す。
【００３６】
＜比較試験１及び評価＞
実施例１〜１１及び比較例１〜６の光ディスクの共振回路部におけるコイルの自己インダクタンスＬとＱ値をそれぞれ測定した後、共振回路部１４が共振する電波を送信する送信アンテナ１６とこの送信アンテナ１６と所定の間隔をあけて立設された受信アンテナ１７の間にそれぞれの光ディスクを通過させて、図３に示す制御部１８の制御出力に接続されたスピーカ１９が警報を発するか否か確認した。この結果を表１に示す。
【００３７】
【表１】
0004218182.tif 000002
【００３８】
実施例１〜１１の結果から、光ディスクのディスク基板に共振回路部を設けても警報が発せられることが確認できた。また、実施例１〜９及び比較例１〜４の結果から、コイルの外縁と反射膜の内縁との間隔が警報の有無について影響していることが判る。これはその距離が短いとＱ値が低下することに起因するものと考えられ、その距離が２．５ｍｍ以上であれば警報が有効に発せられることが判る。
一方、実施例３と比較例５の結果から、その警報の有無は情報をビットとして記録する反射膜の種類によっても異なることが判る。これは抵抗値の低い反射膜（金）が使用された場合のＱ値は、抵抗値の高い反射膜（アルミニウム）が使用された場合より低下することに起因するものと考えられる。しかし、実施例９と比較例５の結果から、抵抗値の低い反射膜（金）が使用された光ディスクであっても、導電膜を設けることによりそのＱ値を上昇させることができ、警報が発せられることが判る。
但し、実施例８、実施例１０及び実施例１１並びに比較例６の結果から、導電膜の厚さ、即ち単位面積当りの抵抗値によりＱ値を上昇させる機能が異なり、その抵抗値が０．２５以下であればＱ値は上昇して警報が発せられることが判る。
【００３９】
【発明の効果】
以上述べたように、本発明によれば、アンテナから送信された特定周波数の電波に共振する共振回路部又はＲＦＩＤが中心孔の孔縁と反射膜の内縁との間のディスク基板の内部又は表面に設けられたので、共振回路部の共振により又はＲＦＩＤとの情報交換により警報等を発する他の機器との関連において光ディスクの無断持出しを防止できる。この場合、共振回路部が中心孔の周囲を１又は２回以上巻回して形成されたコイルと、このコイルの両端に接続されたコンデンサとにより構成すれば、共振回路部を比較的容易にディスク基板に設けることができ、ＲＦＩＤが中心孔の周囲を１又は２回以上巻回して形成されたコイルとコイルの両端に接続されたＩＣチップとにより構成し、ＩＣチップに光ディスク固有の情報を記憶すれば、ＩＣチップのメモリの読みだし機器との関連において、光ディスクにおける固有の情報を迅速に得られるとともに、無断持出しの事実及びその持出された光ディスクの情報をも管理することができる。
また、コイルの外縁と反射膜の内縁との間隔を２．５ｍｍ以上にし、導電膜を保護膜の表面又は反射膜と保護膜の間に形成し、若しくは保護膜自体を導電膜で構成すれば、その導電膜により共振回路部のＱ値を高めることができる。この場合、導電膜の幅１ｃｍで長さ１ｃｍのときの電気抵抗値を０．２５Ω以下にすることにより、そのＱ値を有効に高めて光ディスクの無断持出しを有効に防止することができる。
【図面の簡単な説明】
【図１】本発明の盗難防止機能付光ディスクを示す図２のＣ−Ｃ線断面図。
【図２】その光ディスクの平面図。
【図３】その光ディスクを送信アンテナ及び受信アンテナ間を通過させている状態を示す図。
【図４】本発明の電子記憶機能付光ディスクを示す図５のＤ−Ｄ線断面図。
【図５】その光ディスクの平面図。
【図６】その共振回路の構成を示す概念図。
【符号の説明】
１０，２０  光ディスク
１１，２１  ディスク基板
１１ａ、２１ａ  中心孔
１２，２２  反射膜
１３，２３  保護膜
１４，２４  共振回路部
１４ａ  コイル
１４ｂ  コンデンサ
２６  コイル
２７  ＩＣチップ
２７ｆ  メモリ
２８  導電膜
Ａ  コイルの内縁と中心孔の孔縁との間隔
Ｂ  コイルの外縁と反射膜の内縁との間隔
【図１】
0004218182.tif 000003
【図２】
0004218182.tif 000004
【図３】
0004218182.tif 000005
【図４】
0004218182.tif 000006
【図５】
0004218182.tif 000007
【図６】
0004218182.tif 000008